(57)【要約】【課題】操作性、デザイン性、及び耐久性が良好な電子機器用ケースを提供すること。【解決手段】  スマートフォン用ケース１０は、スマートフォン１１の裏面側に嵌め入れられて装着されるケース本体２１と、ケース本体２１に取り付けられるカバー部材２２とを備えている。ケース本体２１のベース板２４に凹陥部３０が形成されている。凹陥部３０の深さは、カバー部材２２の被取付部２７の厚みと概ね同じ寸法となっている。凹陥部３０に、被取付部２７が接着剤などによって固定される。【選択図】図２
2014127600.tif 000002
【特許請求の範囲】
【請求項１】
表示操作部が正面に設けられた携帯タイプの電子機器に着脱可能に取り付けられる電子機器用ケースであって、
前記電子機器の裏面を覆い且つ前記電子機器の側面を把持して前記電子機器を保持するケース本体と、
前記ケース本体の外側面に取り付けられるシート状のシート部材と、を備え、
前記シート部材が取り付けられる前記ケース本体の取付面に凹陥部が形成されていることを特徴とする電子機器用ケース。
【請求項２】
前記シート部材は、前記ケース本体の外側面に取り付けられる被取付部、及び前記電子機器の正面を覆う被覆部を有する請求項１に記載の電子機器用ケース。
【請求項３】
前記凹陥部の深さは、前記シート部材の厚みと同等である請求項１又は２に記載の電子機器用ケース。
【請求項４】
表示操作部が正面に設けられた携帯タイプの電子機器の裏面側に着脱可能に取り付けられる電子機器用ケースであって、
前記電子機器の裏面を覆う背面部の外側面に凹陥部が形成されていることを特徴とする電子機器用ケース。
【発明の詳細な説明】
【技術分野】
【０００１】
本発明は、電子機器の裏面側に着脱可能な電子機器用ケースに関する。
【背景技術】
【０００２】
携帯電話やスマートフォン、タブレット端末などのように携帯して使用される携帯タイプの電子機器が知られている。この種の電子機器に用いられるケースとして、外観のデザイン性を高めるための装飾用ケースや、物理的な衝撃から保護するための保護ケース、携帯性を高めるための携帯補助用ケースなど、種々のタイプのケースが提案されている（例えば特許文献１及び特許文献２参照）。
【先行技術文献】
【特許文献】
【０００３】
【特許文献１】実用新案登録第３１７９７７４号公報
【特許文献２】特開２０１２−１２５４６６号公報
【発明の概要】
【発明が解決しようとする課題】
【０００４】
しかしながら、電子機器全体を収容する革製や布製のケース（例えば特許文献１参照）は、電子機器の全体が覆われるため操作性が悪い。また、電子機器の裏面をしっかりホールドして電子機器の裏面に一体的に装着されるケース（例えば特許文献２参照）に化粧板などのシート部材を貼り合わせてデザイン性を高めた装飾用ケースにおいては、シート部材の厚み分だけサイズが大きくなるため、スマートフォンなどの電子機器の操作性が悪くなる。また、ケースとシート部材との境に段差が生じ、その段差がデザイン性を低下させて、電子機器全体の美観を損なうおそれがある。また、シート部材の端部が引っ掛けられやすいため、シート部材がケースから剥がれやすいという問題もある。このような問題は、電子機器の裏面側をホールドするケース本体と、このケース本体に取り付けられるカバー部材とを組み合わせた電子機器用ケースについても同様に生じうる。
【０００５】
本発明は前記事情に鑑みてなされたものであり、その目的は、操作性、デザイン性、及び耐久性が良好な電子機器用ケースを提供することにある。
【課題を解決するための手段】
【０００６】
本発明は、表示操作部が正面に設けられた携帯タイプの電子機器に着脱可能に取り付けられる電子機器用ケースであって、前記電子機器の裏面を覆い且つ前記電子機器の側面を把持して前記電子機器を保持するケース本体と、前記ケース本体の外側面に取り付けられるシート状のシート部材と、を備えており、また、前記シート部材が取り付けられる前記ケース本体の取付面に凹陥部が形成されている。
前記シート部材は、前記ケース本体の外側面に取り付けられる被取付部、及び前記電子機器の正面を覆う被覆部を有するものである。
前記凹陥部の深さは、前記シート部材の厚みと同等が好ましい。
【発明の効果】
【０００７】
本発明によれば、ケース本体の凹陥部にシート部材が取り付けられることにより、シート部材の端部が凹陥部に没入するため、シート部材がその端部から剥がれにくくなり耐久性が向上する。また、電子機器用ケースの美観が損なわれない。また、シート部材の端部の段差が小さくなるため、段差により操作性が低下することが防止される。また、前記シート部材が電子機器の表示部や操作部を覆う被覆部を有する場合は、必要に応じてカバー部材をめくることにより、電子機器の表示部や操作部を簡単に露出させることができるから、表示部の視認性がよく、また、操作性もよい。
【図面の簡単な説明】
【０００８】
【図１】本発明の実施形態に係るスマートフォン用ケース及びスマートフォンの構成を示す斜視図である。
【図２】スマートフォン用ケースの分解斜視図である。
【図３】ケース本体の凹陥部の変形例を示す模式図である。
【発明を実施するための形態】
【０００９】
以下、適宜図面を参照して本発明の実施形態について説明する。なお、以下に説明される実施形態は本発明を具体化した一例にすぎず、本発明の要旨を変更しない範囲で、本発明の実施形態は適宜変更できる。
【００１０】
図１に示されるように、本発明の実施形態に係るスマートフォン用ケース１０は、タッチパネルなどの表示操作部が正面に設けられた携帯可能なスマートフォン１１に着脱可能に取り付けられるものであり、本発明の電子機器用ケースの一例である。なお、本実施形態では、本発明の電子機器用ケースの一例として、スマートフォン１１に取り付けられるスマートフォン用ケース１０を例示するが、スマートフォンに限られず、携帯電話やタブレット端末などの電子機器、特に平板形状の電子機器に着脱可能なケースやカバーにも本発明は適用可能である。
【００１１】
スマートフォン用ケース１０は、スマートフォン１１の裏面側に嵌め入れられて装着されるケース本体２１と、ケース本体２１に取り付けられるシート状のカバー部材２２（シート部材の一例）とを備えている。スマートフォン用ケース１０は、ケース本体２１とカバー部材２２とを組み合わせたものとして構成されている。
【００１２】
ケース本体２１は、スマートフォン１１の裏面を覆い、且つ、スマートフォン１１の側面を把持することにより、スマートフォン１１を保持するものである。ケース本体２１は、スマートフォン１１の外形に沿った形状に形成されている。ケース本体は、スマートフォン１１が装着された状態でスマートフォン１１の裏面に対向する長方形状のベース板２４（背面部の一例）と、ベース板２４の周縁に立設された側壁２５とを有している。ベース板２４と側壁２５とによって囲まれた空間にスマートフォン１１が装着される。なお、側壁２５には、スマートフォン１１の側面に設けられた操作キーや接続端子を露出させるための切り欠き２６が必要箇所に形成されている。
【００１３】
カバー部材２２は、皮、合皮、布、樹脂シートなどで構成された可撓性を有するシート状の部材であって、ケース本体２１に取り付けられている。カバー部材２２は、ケース本体２１のベース板２４の外側面２４Ａに取り付けられる被取付部２７と、スマートフォン１１の正面（前記表示操作部が設けられている面）を覆う被覆部２８とを有している。被取付部２７は、ベース板２４よりも一回り小さいサイズの長方形状であり、ベース板２４の外側面２４Ａに接着剤などによって固定されている。被覆部２８は、被取付部２７における一方の側端部に連結部２９を介して連結されている。連結部２９は、ケース本体２１の側壁２５の一部を覆う部分であり、側壁２５に対応するサイズに形成されている。被覆部２８は、スマートフォン１１の正面を覆い隠すことができるように、スマートフォン１１の正面形状と同じ形状に形成されている。なお、被覆部２８は、少なくともスマートフォン１１の正面に設けられた表示操作部を覆い隠すことができるように、前記表示操作部に対応する形状に形成されていればよい。
【００１４】
また、図２に示されるように、ケース本体２１には、凹陥部３０が形成されている。凹陥部３０は、ベース板２４の外側面２４Ａにおいて被取付部２７が取り付けられる取付面に形成されている。凹陥部３０は、被取付部２７が収容される部分であり、被取付部２７と概ね同じ形状に形成されている。凹陥部３０の深さは、被取付部２７の厚みと同等であり、詳細には、被取付部２７と凹陥部３０との間に介在される接着剤の分だけ被取付部２７の厚みよりも若干大きく形成されている。
【００１５】
このようにスマートフォン用ケース１０が構成されているため、ケース本体２１の凹陥部３０にカバー部材２２の被取付部２７が取り付けられると、被取付部２７が凹陥部３０に没入して、被取付部２７の端部が凹陥部３０の周壁３０Ａに隠される。これにより、被取付部２７の表面とベース板２４の外側面２４Ａとが同一面となり、被取付部２７がケース本体２１から剥がれにくくなる。また、被取付部２７とケース本体２１との境に段差が生じないので、スマートフォン用ケース１０の美観が損なわれないし、段差により操作性が低下することもない。また、必要に応じてカバー部材２２をめくることにより、スマートフォン１１の正面を露出させることができるので、スマートフォン１１の前記表示操作部の視認性がよくなり、また操作性もよくなる。
【００１６】
なお、ケース本体２１の凹陥部３０の形状は、上述の実施形態で示した形状のものに限られない。例えば、凹陥部３０の変形例として、図３（Ａ）〜（Ｄ）に示される形状の凹陥部３１〜３４が考えられる。凹陥部３１は、カバー部材２２の連結部２９が収容される領域３１Ａが設けられたものである（図３（Ａ）参照）。また、凹陥部３２は、領域３１Ａに加えて、スマートフォン１１の裏面に設けられたカメラなどの機器を露出させるための貫通した開口３２Ａが設けられたものである（図３（Ｂ）参照）。この場合、被取付部２７にも開口３２Ａに対応する位置に開口３２Ａと同じ形状の貫通開口が形成されている。また、凹陥部３３は、ベース板２４の形状とは異なる細幅長尺形状のものである（図３（Ｃ）参照）。この場合、被取付部２７も凹陥部３３と概ね同じ形状に形成されている。また、凹陥部３４は、ベース板２４の上下方向に隔てられて２つ設けられたものである（図３（Ｄ）参照）。この場合、被取付部２７は、２つの凹陥部３４に収容されるように上下方向に２つに分割されている。
【００１７】
また、上述の実施形態では、凹陥部３０の深さを被取付部２７の厚みと同等としたが、凹陥部３０は、少なくとも被取付部２７の一部が没入可能なものであればよい。また、上述の実施形態では、本発明のシート部材の一例としてカバー部材２２を例示したが、前記表示操作部を覆うようなものに限られず、例えば、凹陥部３０と同じ形状に形成されたデザイン性の高い化粧板、或いはソーラーパネルなどのようなシート状の部材であってもよい。
【００１８】
また、上述の実施形態では、本発明の電子機器用ケースとして、ケース本体２１とカバー部材２２とが組み合わされたスマートフォン用ケース１０について例示したが、例えば、カバー部材２２が設けられていないケース本体２１のみによって本発明の電子機器用ケースが実現されていてもよい。
【符号の説明】
【００１９】
１０：スマートフォン用ケース
１１：スマートフォン
２１：ケース本体
２２：カバー部材
２７：被取付部
２８：被覆部
３０〜３４：凹陥部
【図１】
2014127600.tif 000003
【図２】
2014127600.tif 000004
【図３】
2014127600.tif 000005